(57)【要約】【課題】現場での施工要領を従来と大きく変更することなく、天井面材の遮音性能を高めることができると共に、天井面材の剥落や天井面材を支持する下地材等の損壊を防止することができる吊り天井構造を提供する。【解決手段】吊り天井構造１０は、複数の第一野縁１２からなる第一下地部１４と、複数の第二野縁１６からなる第二下地部１８と、第一下地部１４及び第二下地部１８の下方に配置され、第二下地部１８に接合されずに第一下地部１４に接合された第一天井面材２０Ａと、第一天井面材２０Ａに下方から積層され、第一下地部１４及び第二下地部１８に接合されずに第一天井面材２０Ａに接合された第二天井面材２０Ｂと、第二天井面材２０Ｂに下方から積層され、第一下地部１４に接合されずに第二下地部１８に接合された第三天井面材２０Ｃと、を備える。【選択図】図３
0003222355.tif 000002
【実用新案登録請求の範囲】
【請求項１】
複数の第一野縁からなる第一下地部と、
複数の第二野縁からなる第二下地部と、
前記第一下地部及び前記第二下地部の下方に配置され、前記第二下地部に接合されずに前記第一下地部に接合された第一天井面材と、
前記第一天井面材に下方から積層され、前記第一下地部及び前記第二下地部に接合されずに前記第一天井面材に接合された第二天井面材と、
前記第二天井面材に下方から積層され、前記第一下地部に接合されずに前記第二下地部に接合された第三天井面材と、
を備える吊り天井構造。
【請求項２】
前記第三天井面材に下方から積層され、前記第一下地部及び前記第二下地部に接合されずに前記第三天井面材に接合された第四天井面材を備える、
請求項１に記載の吊り天井構造。
【請求項３】
前記第一天井面材、前記第二天井面材、及び、前記第三天井面材は、それぞれ石膏ボードであり、
前記第一天井面材は、第一ビスによって前記第一下地部に接合され、
前記第三天井面材は、前記第一天井面材及び前記第二天井面材を貫通する第二ビスによって前記第二下地部に接合されている、
請求項１又は請求項２に記載の吊り天井構造。
【請求項４】
前記第二天井面材は、ステープルによって前記第一天井面材に接合されている、
請求項３に記載の吊り天井構造。
【請求項５】
前記第二野縁の幅は、前記第一野縁の幅よりも広い、
請求項３又は請求項４に記載の吊り天井構造。
【請求項６】
前記第一天井面材、前記第二天井面材、及び、前記第三天井面材は、互いに異なる固有振動数を有する、
請求項１〜請求項５のいずれか一項に記載の吊り天井構造。
【請求項７】
請求項１〜請求項６のいずれか一項に記載の吊り天井構造を備える薄板軽量形鋼造建築物。
【考案の詳細な説明】
【技術分野】
【０００１】
本考案は、吊り天井構造及び薄板軽量形鋼造に関する。
【背景技術】
【０００２】
従来、住宅や事務所ビル等の天井構造として、天井面材が床や梁、根太などの構造躯体から吊り下げられている吊り天井構造が知られている（例えば、特許文献１参照）。
【０００３】
この吊り天井構造では、天井面材が第一天井面材及び第二天井面材からなる二層構造となっており、例えば、第一天井面材は、複数の野縁からなる下地部に接合され、第二天井面材は、下地部に接合されずに第一天井面材に接合される。このような吊り天井構造は、天井面材が構造躯体から縁を切られて吊り下げられるため、上階の振動が下階に伝達され難く、上階から下階への固体伝播音を低減できるという利点がある。
【０００４】
一方、床面材の振動により天井裏に放射された空気伝播音については、天井面材を透過する際に、天井面材の透過損失に応じて低減される。一般に、透過損失は、天井面材の質量を大きくほど増加する。そのため、吊り天井構造において、さらに遮音性能を高めるためには、天井面材を重くして空気伝播音を低減することが有効となる。
【０００５】
しかし、遮音対策のために、単に天井面材を重くすると、天井面材の剥落や天井面材を支持する下地材等の損壊を招く虞がある。さらに、作業者は上向き姿勢で天井面材を下地材等に取り付けるため、通常の天井面材よりも単位重量が極端に大きい仕様とすると、現場の施工が困難になる。
【先行技術文献】
【特許文献】
【０００６】
【特許文献１】特開２０１７−１４８１９号公報
【考案の概要】
【考案が解決しようとする課題】
【０００７】
本考案は、現場での施工要領を従来と大きく変更することなく、天井面材の遮音性能を高めることができると共に、天井面材の剥落や天井面材を支持する下地材等の損壊を防止することができる吊り天井構造及び薄板軽量形鋼造建築物を提供することを目的とする。
【課題を解決するための手段】
【０００８】
上記課題を解決するために、請求項１に記載の吊り天井構造は、複数の第一野縁からなる第一下地部と、複数の第二野縁からなる第二下地部と、前記第一下地部及び前記第二下地部の下方に配置され、前記第二下地部に接合されずに前記第一下地部に接合された第一天井面材と、前記第一天井面材に下方から積層され、前記第一下地部及び前記第二下地部に接合されずに前記第一天井面材に接合された第二天井面材と、前記第二天井面材に下方から積層され、前記第一下地部に接合されずに前記第二下地部に接合された第三天井面材と、を備える。
【０００９】
この吊り天井構造によれば、第一天井面材を第二下地部に接合せずに第一下地部に接合し、第二天井面材を第一下地部及び第二下地部に接合せずに第一天井面材に接合し、第三天井面材を第一下地部に接合せずに第二下地部に接合する。そして、これにより、第一天井面材、第二天井面材、及び、第三天井面材を第一下地部及び第二下地部に取り付けることができる。したがって、例えば、第一天井面材を複数の野縁からなる下地部に接合し、第二天井面材を下地部に接合せずに第一天井面材に接合するという従来の施工要領と同様の要領で施工を行うことができる。
【００１０】
また、第一天井面材と、第二天井面材と、第三天井面材とを含む少なくとも３層構造となっているので、例えば、第一天井面材及び第二天井面材を有する従来の構造に比して、複数層の天井面材の質量を増加させることができる。これにより、複数層の天井面材で空気伝播音を低減できるので、この天井面材の遮音性能を高めることができる。
【００１１】
さらに、上述のように、第一天井面材は、第二下地部に接合されずに第一下地部に接合され、第二天井面材は、第一下地部及び第二下地部に接合されずに第一天井面材に接合される。また、第三天井面材は、第一下地部に接合されずに第二下地部に接合される。したがって、第一天井面材、第二天井面材、及び、第三天井面材の荷重が第一下地部及び第二下地部に分散するので、例えば、第一下地部のみに複数層の天井面材の荷重が集中する場合に比して、天井面材の剥落や天井面材を支持する下地材等の損壊を防止できる。
【００１２】
なお、請求項２に記載のように、請求項１に記載の吊り天井構造において、前記第三天井面材に下方から積層され、前記第一下地部及び前記第二下地部に接合されずに前記第三天井面材に接合された第四天井面材を備えていても良い。
【００１３】
この吊り天井構造によれば、第四天井面材を第一下地部及び第二下地部に接合せずに第三天井面材に接合すれば良いので、第四天井面材を増設する場合でも、従来の施工要領と同様の要領で施工を行うことができる。
【００１４】
また、請求項３に記載のように、請求項１又は請求項２に記載の吊り天井構造において、前記第一天井面材、前記第二天井面材、及び、前記第三天井面材は、それぞれ石膏ボードであり、前記第一天井面材は、第一ビスによって前記第一下地部に接合され、前記第三天井面材は、前記第一天井面材及び前記第二天井面材を貫通する第二ビスによって前記第二下地部に接合されていても良い。
【００１５】
この吊り天井構造によれば、第一天井面材、第二天井面材、及び、第三天井面材に石膏ボードを用いると共に、第一下地部への第一天井面材の接合、及び、第二下地部への第三天井面材の接合にビスを用いる。したがって、特殊な工具等を使用せずに、従来と同様の施工要領で施工を容易に行うことができる。
【００１６】
また、請求項４に記載のように、請求項３に記載の吊り天井構造において、前記第二天井面材は、ステープルによって前記第一天井面材に接合されていても良い。
【００１７】
この吊り天井構造によれば、第一天井面材への第二天井面材の接合にステープルを用いるので、特殊な工具等を使用せずに、従来と同様の施工要領で施工を容易に行うことができる。
【００１８】
また、請求項５に記載のように、請求項３又は請求項４に記載の吊り天井構造において、前記第二野縁の幅は、前記第一野縁の幅よりも大きくても良い。
【００１９】
この吊り天井構造によれば、第二野縁の幅は、第一野縁の幅よりも広いので、第二野縁への第二ビスの打ち込み範囲を広く確保できる。したがって、第一天井面材及び第二天井面材を介して第二ビスを第二野縁に打ち込む際の作業性を良好にすることができる。
【００２０】
また、請求項６に記載のように、請求項１〜請求項５のいずれか一項に記載の吊り天井構造において、前記第一天井面材、前記第二天井面材、及び、前記第三天井面材は、互いに異なる固有振動数を有していても良い。
【００２１】
この吊り天井構造によれば、第一天井面材、第二天井面材、及び、第三天井面材は、互いに異なる固有振動数を有するので、高音に対する遮音性低下の要因となるコインシデンス効果を抑制できる。
【００２２】
また、上記課題を解決するために、請求項７に記載の薄板軽量形鋼造建築物は、請求項１〜請求項６のいずれか一項に記載の吊り天井構造を備える。
【００２３】
この薄板軽量形鋼造建築物によれば、上記吊り天井構造を備えるので、現場での施工要領を従来と大きく変更することなく、天井面材の遮音性能を高めることができると共に、天井面材の剥落や天井面材を支持する下地材等の損壊を防止することができる。
【考案の効果】
【００２４】
以上詳述したように、本考案によれば、現場での施工要領を従来と大きく変更することなく、天井面材の遮音性能を高めることができると共に、天井面材の剥落や天井面材を支持する下地材等の損壊を防止することができる。
【図面の簡単な説明】
【００２５】
【図１】本実施形態に係る薄板軽量形鋼造建築物を模式的に示す正面図である。
【図２】図１に示される薄板軽量形鋼造建築物に適用された吊り天井構造を床根太及び天井根太と直交する方向から見た断面図である。
【図３】図１に示される薄板軽量形鋼造建築物に適用された吊り天井構造を第一野縁及び第二野縁と直交する方向から見た断面図である。
【図４】図２に示される吊り天井構造の第一変形例を示す断面図である。
【図５】図３に示される吊り天井構造の第二変形例を示す断面図である。
【考案を実施するための形態】
【００２６】
以下、本考案の一実施形態について説明する。
【００２７】
図１に示される本実施形態に係る薄板軽量形鋼造建築物４０（スチールハウス）には、薄板軽量形鋼造４２が適用されている。この薄板軽量形鋼造４２は、薄板軽量形鋼で形成された構造躯体を有して構成されている。この薄板軽量形鋼造４２が適用された薄板軽量形鋼造建築物４０は、上位階の床４４と、下位階の天井４６と、複数の壁パネル４７とを備える。下位階の天井４６は、上位階の床４４の下方に位置しており、上位階の床４４は、下位階の壁パネル４７の上に配置されている。
【００２８】
図２に示されるように、床４４の下面には、水平方向に延びる床根太４８が接合されており、上位階の床４４と下位階の天井４６との間には、床根太４８と水平方向に並ぶ天井根太５０が配置されている。天井根太５０は、床根太４８と平行に延びており、床根太４８と天井根太５０とは、所定の位置で固定されている。
【００２９】
天井根太５０の下方には、天井根太５０と平行に延びる野縁受５２が配置されている。野縁受５２には、フック形状のハンガ部材５４が下側から引っ掛けられており、このハンガ部材５４には、ハンガ部材５４から上方に延びる吊りボルト５６の下端部が固定されている。吊りボルト５６の上端部は、天井根太５０に固定されている。下位階の天井４６は、上述の床根太４８、天井根太５０、野縁受５２、ハンガ部材５４、及び、吊りボルト５６によって上位階の床４４に吊り下げられている。この天井４６には、以下の吊り天井構造１０が適用されている。
【００３０】
図３に示されるように、吊り天井構造１０は、複数の第一野縁１２からなる第一下地部１４と、複数の第二野縁１６からなる第二下地部１８と、複数層の天井面材２０とを備える。
【００３１】
複数の第一野縁１２及び複数の第二野縁１６は、いずれも上面視で野縁受５２と直交する方向に延びている。第一野縁１２と第二野縁１６とは、野縁受５２が延びる方向に交互に配置されており、隣り合う第一野縁１２と第二野縁１６とは、平行に配置されている。第二野縁１６の幅Ｗ２は、第一野縁１２の幅Ｗ１よりも広い。
【００３２】
複数層の天井面材２０は、一例として、４層構造であり、第一天井面材２０Ａ、第二天井面材２０Ｂ、第三天井面材２０Ｃ、及び、第四天井面材２０Ｄによって構成されている。第一天井面材２０Ａ、第二天井面材２０Ｂ、第三天井面材２０Ｃ、及び、第四天井面材２０Ｄは、それぞれ石膏ボードであり、水平に配置されている。石膏ボードとしては、普通石膏ボード、強化石膏ボード、及び、硬質石膏ボード等が使用される。この第一天井面材２０Ａ、第二天井面材２０Ｂ、第三天井面材２０Ｃ、及び、第四天井面材２０Ｄは、一例として、同一の構成である。
【００３３】
第一天井面材２０Ａは、第一下地部１４及び第二下地部１８の下方に配置されており、第二天井面材２０Ｂは、第一天井面材２０Ａに下方から積層されている。また、第三天井面材２０Ｃは、第二天井面材２０Ｂに下方から積層されており、第四天井面材２０Ｄは、第三天井面材２０Ｃに下方から積層されている。この複数層の天井面材２０における重なり合う天井面材同士は、互いの目地が揃わないようにずらして配置されている。
【００３４】
第一天井面材２０Ａは、第二下地部１８（複数の第二野縁１６）に接合されずに第一ビス２２によって第一下地部１４（複数の第一野縁１２）に接合されており、第二天井面材２０Ｂは、第一下地部１４及び第二下地部１８に接合されずに第一ステープル２４によって第一天井面材２０Ａに接合されている。第一ビス２２は、第一天井面材２０Ａの厚さよりも長さが長くなっており、第一ステープル２４は、第一天井面材２０Ａ及び第二天井面材２０Ｂの合計厚さと略同じ長さを有している。
【００３５】
第三天井面材２０Ｃは、第一下地部１４に接合されずに第一天井面材２０Ａ及び第二天井面材２０Ｂを貫通する第二ビス２６によって第二下地部１８に接合されており、第四天井面材２０Ｄは、第一下地部１４及び第二下地部１８に接合されずに第二ステープル２８によって第三天井面材２０Ｃに接合されている。
【００３６】
第二ビス２６は、第一天井面材２０Ａ、第二天井面材２０Ｂ、及び、第三天井面材２０Ｃの合計厚さよりも長さが長くなっており、第二ステープル２８は、第三天井面材２０Ｃ及び第四天井面材２０Ｄの合計厚さと略同じ長さを有している。第一ビス２２及び第二ビス２６は、例えば、ドリリングタッピングネジである。また、第一ステープル２４及び第二ステープル２８は、留め具であり、一例として、同一の構成である。
【００３７】
次に、第一天井面材２０Ａ、第二天井面材２０Ｂ、第三天井面材２０Ｃ、及び、第四天井面材２０Ｄを第一下地部１４及び第二下地部１８に取り付ける施工要領について説明する。
【００３８】
先ず、第一天井面材２０Ａを第二下地部１８（複数の第二野縁１６）に接合せずに第一ビス２２によって第一下地部１４（複数の第一野縁１２）に接合する。続いて、第二天井面材２０Ｂを第一下地部１４及び第二下地部１８に接合せずに第一ステープル２４によって第一天井面材２０Ａに接合する。
【００３９】
続いて、第三天井面材２０Ｃを第一下地部１４に接合せずに第二ビス２６によって第二下地部１８に接合する。そして、第四天井面材２０Ｄを第一下地部１４及び第二下地部１８に接合せずに第二ステープル２８によって第三天井面材２０Ｃに接合する。以上の施工要領により、第一天井面材２０Ａ、第二天井面材２０Ｂ、第三天井面材２０Ｃ、及び、第四天井面材２０Ｄが第一下地部１４及び第二下地部１８に取り付けられる。
【００４０】
次に、本実施形態の作用及び効果について説明する。
【００４１】
以上詳述したように、本実施形態では、第一天井面材２０Ａを第二下地部１８に接合せずに第一下地部１４に接合し、第二天井面材２０Ｂを第一下地部１４及び第二下地部１８に接合せずに第一天井面材２０Ａに接合する。また、第三天井面材２０Ｃを第一下地部１４に接合せずに第二下地部１８に接合し、第四天井面材２０Ｄを第一下地部１４及び第二下地部１８に接合せずに第三天井面材２０Ｃに接合する。
【００４２】
そして、以上により、第一天井面材２０Ａ、第二天井面材２０Ｂ、第三天井面材２０Ｃ、及び、第四天井面材２０Ｄを第一下地部１４及び第二下地部１８に取り付けることができる。したがって、例えば、第一天井面材を複数の野縁からなる下地部に接合し、第二天井面材を下地部に接合せずに第一天井面材に接合するという従来の施工要領と同様の要領で施工を行うことができる。
【００４３】
また、第一天井面材２０Ａと、第二天井面材２０Ｂと、第三天井面材２０Ｃと、第四天井面材２０Ｄからなる４層構造となっているので、例えば、第一天井面材及び第二天井面材を有する従来の構造に比して、複数層の天井面材２０の質量を増加させることができる。これにより、複数層の天井面材２０で空気伝播音を低減できるので、この天井面材２０の遮音性能を高めることができる。
【００４４】
さらに、上述のように、第一天井面材２０Ａは、第二下地部１８に接合されずに第一下地部１４に接合され、第二天井面材２０Ｂは、第一下地部１４及び第二下地部１８に接合されずに第一天井面材２０Ａに接合される。また、第三天井面材２０Ｃは、第一下地部１４に接合されずに第二下地部１８に接合され、第四天井面材２０Ｄは、第一下地部１４及び第二下地部１８に接合されずに第三天井面材２０Ｃに接合される。
【００４５】
したがって、第一天井面材２０Ａ、第二天井面材２０Ｂ、第三天井面材２０Ｃ、及び、第四天井面材２０Ｄの荷重が第一下地部１４及び第二下地部１８に分散するので、例えば、第一下地部１４のみに複数層の天井面材２０の荷重が集中する場合に比して、天井面材２０の剥落や天井面材２０を支持する下地材等の損壊を防止できる。
【００４６】
このように、本実施形態によれば、現場での施工要領を従来と大きく変更することなく、天井面材２０の遮音性能を高めることができると共に、天井面材２０の剥落や天井面材２０を支持する下地材等の損壊を防止することができる。
【００４７】
また、本実施形態では、第四天井面材２０Ｄを備えるので、この第四天井面材２０Ｄを備える分、複数層の天井面材２０の質量を増加させることができる。これにより、複数層の天井面材２０で空気伝播音をより一層低減できる。しかも、第四天井面材２０Ｄを第一下地部１４及び第二下地部１８に接合せずに第三天井面材２０Ｃに接合すれば良いので、第四天井面材２０Ｄを増設する場合でも、従来の施工要領と同様の要領で施工を行うことができる。
【００４８】
また、本実施形態では、第二天井面材２０Ｂ及び第四天井面材２０Ｄを第一下地部１４及び第二下地部１８に接合しないので、例えば、第二天井面材２０Ｂ及び第四天井面材２０Ｄを第一下地部１４及び第二下地部１８に接合する場合に比して、施工時間を短縮することができる。
【００４９】
また、本実施形態では、第一天井面材２０Ａ、第二天井面材２０Ｂ、第三天井面材２０Ｃ、及び、第四天井面材２０Ｄに石膏ボードを用いている。また、第一下地部１４への第一天井面材２０Ａの接合、及び、第二下地部１８への第三天井面材２０Ｃの接合にビスをそれぞれ用い、第一天井面材２０Ａへの第二天井面材２０Ｂの接合、及び、第三天井面材２０Ｃへの第四天井面材２０Ｄの接合にステープルをそれぞれ用いている。したがって、特殊な工具等を使用せずに、従来と同様の施工要領で施工を容易に行うことができる。
【００５０】
また、本実施形態では、第二野縁１６の幅Ｗ２は、第一野縁１２の幅Ｗ１よりも広いので、第二野縁１６への第二ビス２６の打ち込み範囲を広く確保できる。したがって、第一天井面材２０Ａ及び第二天井面材２０Ｂを介して第二ビス２６を第二野縁１６に打ち込む際の作業性を良好にすることができる。
【００５１】
次に、本実施形態の変形例について説明する。
【００５２】
上記実施形態において、天井４６は、床根太４８、天井根太５０、野縁受５２、ハンガ部材５４、及び、吊りボルト５６によって床４４に吊り下げられている。しかしながら、図４に示されるように、吊りボルト５６の上端部が床根太４８に固定されることにより、天井４６が、床根太４８、野縁受５２、ハンガ部材５４、及び、吊りボルト５６によって床４４に吊り下げられていても良い。
【００５３】
また、上記実施形態において、複数層の天井面材２０は、第一天井面材２０Ａ、第二天井面材２０Ｂ、第三天井面材２０Ｃ、及び、第四天井面材２０Ｄからなる４層構造となっている。しかしながら、図５に示されるように、複数の層の天井面材２０は、第一天井面材２０Ａ、第二天井面材２０Ｂ、及び、第三天井面材２０Ｃからなる３層構造となっていても良い。
【００５４】
また、上記実施形態において、第一天井面材２０Ａ、第二天井面材２０Ｂ、第三天井面材２０Ｃ、及び、第四天井面材２０Ｄは、一例として、同一の構成であるが、異なる構成でも良い。
【００５５】
また、上記実施形態において、第一天井面材２０Ａ、第二天井面材２０Ｂ、第三天井面材２０Ｃ、及び、第四天井面材２０Ｄは、例えば厚さや材料等が異なることにより、互いに異なる固有振動数を有していても良い。このように構成されていると、高音に対する遮音性低下の要因となるコインシデンス効果（入射音波と天井面材２０の屈曲波の振動が一致し共振状態となり、特定周波数での透過損失が低下する現象）を抑制できる。
【００５６】
また、上記実施形態において、複数層の天井面材２０における重なり合う天井面材の間に接着剤が塗布されても良い。
【００５７】
また、上記実施形態において、第一天井面材２０Ａ、第二天井面材２０Ｂ、第三天井面材２０Ｃ、及び、第四天井面材２０Ｄは、石膏ボードであるが、例えば、グラスウールボード、ロックウールボード、金属板でも良い。
【００５８】
また、上記複数の変形例は、適宜、組み合わされても良い。
【００５９】
以上、本考案の一実施形態について説明したが、本考案は、上記に限定されるものでなく、上記以外にも、その主旨を逸脱しない範囲内において種々変形して実施可能であることは勿論である。
【符号の説明】
【００６０】
１０  吊り天井構造
１２  第一野縁
１４  第一下地部
１６  第二野縁
１８  第二下地部
２０  天井面材
２０Ａ  第一天井面材
２０Ｂ  第二天井面材
２０Ｃ  第三天井面材
２０Ｄ  第四天井面材
２２  第一ビス
２４  第一ステープル
２６  第二ビス
２８  第二ステープル
４０  薄板軽量形鋼造建築物
４４  床
４６  天井
４８  床根太
５０  天井根太
５２  野縁受
５４  ハンガ部材
５６  吊りボルト
【図１】
0003222355.tif 000003
【図２】
0003222355.tif 000004
【図３】
0003222355.tif 000005
【図４】
0003222355.tif 000006
【図５】
0003222355.tif 000007